(57)【特許請求の範囲】
【請求項１】
所定の第１の範囲の周波数レンジの任意の波形の信号を発生し送信する任意波形発生器と、上記任意波形発生器が送信した信号を伝送する伝送路と、所定の第２の範囲の測定レンジを有し上記伝送路が伝送した信号を受信し上記信号の時間軸電圧波形をＡ／Ｄ（アナログ／デジタル）変換機によりデジタルデータ化するデジタルオシロスコープと、上記デジタルオシロスコープから上記信号のデジタルデータを取込み、処理することにより上記伝送路の特性を求めるパーソナルコンピュータとにより構成される測定システムの伝送路特性測定方法であって、
複数の第１のパラメータの値と上記複数の第１のパラメータの値に対応する複数の第２のパラメータの値とにより表される伝送路の特性を測定する伝送路特性測定方法において、
上記任意波形発生器が、所定の第１の範囲で任意の波形の信号を発生し送信し、上記デジタルオシロスコープが、上記複数の第１のパラメータの値を所定の第１の範囲にして上記複数の第１のパラメータの値に対応する複数の第２のパラメータの値を測定する第１の測定工程と、
上記パーソナルコンピュータが、上記第１の測定工程により測定された複数の第２のパラメータの値のうち、第２のパラメータの最大値を上限とする所定の第２の範囲の下限値を示す第２のパラメータの値が存在すると判定し、かつ、上記所定の第２の範囲内にある第２のパラメータの値に対応し、上記第２のパラメータの最大値に対応する第１のパラメータの値と上記下限値を示す第２のパラメータの値に対応する第１のパラメータの値との中間値が存在すると判定した場合に、上記パーソナルコンピュータが、上記第１の範囲を分割する中間値を出力する分割工程と、
上記任意波形発生器が、上記分割工程により出力された中間値により分割された第１の範囲の一方の範囲にして任意の波形の信号を発生し送信し、上記デジタルオシロスコープが、上記複数の第１のパラメータの値を上記第１の範囲の一方の範囲にして上記複数の第１のパラメータの値に対応する複数の第２のパラメータの値を測定し、
上記任意波形発生器が、上記分割工程により分割された第１の範囲の他方の範囲にして任意の波形の信号を発生し送信し、上記デジタルオシロスコープが、上記複数の第１のパラメータの値を上記第１の範囲の他方の範囲にして上記複数の第１のパラメータの値に対応する複数の第２のパラメータの値を測定する第２の測定工程と
を備えることを特徴とする伝送路特性測定方法。
【請求項２】
上記分割工程は、上記中間値が、上記下限値を示す第２のパラメータの値に対応する第１のパラメータの値を挟んで複数存在する場合に、上記パーソナルコンピュータが、上記複数存在する上記中間値のうち、上記第２のパラメータの最大値に対応する第１のパラメータの値との間に上記下限値を示す第２のパラメータの値に対応する第１のパラメータの値を有さない中間値を用いて上記第１の範囲を分割する中間値を出力することを特徴とする請求項１記載の伝送路特性測定方法。
【請求項３】
上記所定の第２の範囲は、上記第２の測定工程により測定された複数の第２のパラメータの値のうち、上記分割工程により分割された第１の範囲ごとに第２のパラメータの最大値を上限とし、
上記伝送路特性測定方法は、すべての上記分割された第１の範囲において、上記複数の第２のパラメータの値がすべて上記所定の第２の範囲内に納まるまで、上記第２の測定工程の後、第２の測定工程を第１の測定工程として上記分割工程と上記第２の測定工程とを繰り返すことを特徴とする請求項１又は２記載の伝送路特性測定方法。
【請求項４】
上記伝送路特性測定方法は、さらに、上記第２の測定工程により上記分割工程により分割された第１の範囲ごとに測定された複数の第２のパラメータの値を上記パーソナルコンピュータが合成する合成工程を備えることを特徴とする請求項１〜３のいずれか記載の伝送路特性測定方法。
【請求項５】
測定対象周波数帯域の周波数の任意の波形の信号を発生し送信する任意波形発生器と、上記任意波形発生器が送信した信号を伝送する伝送路と、所定のダイナミックレンジを有し上記伝送路が伝送した信号を受信し上記信号の時間軸電圧波形をＡ／Ｄ（アナログ／デジタル）変換機によりデジタルデータ化するデジタルオシロスコープと、上記デジタルオシロスコープから上記信号のデジタルデータを取込み、処理することにより上記伝送路の特性を求めるパーソナルコンピュータとにより構成される測定システムの伝送路特性測定方法であって、
複数の周波数の値と、上記複数の周波数の値に対応する複数の減衰量の値とにより表される伝送路の特性を測定する伝送路特性測定方法において、
上記任意波形発生器が、測定対象周波数帯域にして任意の波形の信号を発生し送信し、上記デジタルオシロスコープが、上記複数の周波数の値を測定対象周波数帯域にして上記複数の周波数の値に対応する複数の減衰量の値を測定する第１の測定工程と、
上記パーソナルコンピュータが、上記第１の測定工程により測定された複数の減衰量の値のうち、減衰量の最大値を上限とするダイナミックレンジの下限値を示す減衰量の値が存在すると判定し、かつ、上記ダイナミックレンジ内にある伝送路における減衰量の値に対応し、上記減衰量の最大値に対応する周波数の値と、上記下限値を示す減衰量の値に対応する周波数の値との中間値が存在すると判定した場合に、上記パーソナルコンピュータが、上記中間値を出力する分割工程と、
上記任意波形発生器が、上記分割工程により出力された上記中間値により分割された測定対象周波数帯域のうち低周波数帯域側の任意の波形の信号を発生し送信し、上記デジタルオシロスコープが、上記複数の周波数の値を上記低周波数帯域にして複数の上記周波数の値に対応する複数の減衰量の値を測定し、
上記任意波形発生器が、上記分割工程により出力された上記中間値により分割された測定対象周波数帯域のうち高周波数帯域側の任意の波形の信号を発生し送信し、上記デジタルオシロスコープが、上記複数の周波数の値を上記高周波数帯域にして複数の上記周波数の値に対応する複数の減衰量の値を測定する第２の測定工程と
を備えることを特徴とする伝送路特性測定方法。
【発明の詳細な説明】
【０００１】
【発明の属する技術分野】
本発明は、伝送路特性の測定方法に関するものである。
【０００２】
【従来の技術】
図９は、従来の測定システムを示す図である。
図９において、１は、任意波形発生器、２は、結合器、３は、結合器、４は、デジタルオシロスコープ、５は、パソコン、６は、伝送路である。
図１０は、送信波形の周波数特性を示す図である。
図９のような測定システムを使った伝送路６の減衰特性などの伝送路特性を測定する方法を以下に説明する。
図９において、任意波形発生器１から信号を送信する。図１０に示すように、送信する信号には、測定対象周波数帯域における電圧の周波数特性がフラットである波形、例えば擬似ランダム波形が用いられる。送信された信号は結合器２を経由して測定対象の伝送路６を通り、結合器３を経由してデジタルオシロスコープ４が時間軸電圧波形として受信する。受信した時間軸電圧波形はデジタルオシロスコープ４のＡ／Ｄ（アナログ／デジタル）変換器によってデジタルデータ化され、当データがパソコン５に取込まれる。パソコン５によって時間軸電圧波形である当デジタルデータが処理されて、伝送路６の減衰特性や位相特性などが求められる。
ここで、デジタルオシロスコープ５が受信する波形に対して、電圧振幅が飽和しないように、かつ可能な限り最大電圧振幅をとれるように、デジタルオシロスコープ５の電圧レンジを調整する。測定できる電圧の最小振幅値は、Ａ／Ｄ変換器の解像度によって主に制限される。ここで、電圧の最大振幅値と最小振幅値との比は、ダイナミックレンジとして表現され、ダイナミックレンジは、一定範囲をとる。この一定のダイナミックレンジを有効に活用して最小振幅値を可能な限り測定するために、上記で述べたように電圧レンジを調整する。
図１１は、受信波形の周波数特性を示す図である。
図１２は、伝送路の減衰特性を示す図である。
ところで、図１１に示すように、一般には伝送路６を通った受信信号には周波数毎に振幅値の違う波形が混在しているが、図１２に示すように、波形の電圧の最大振幅値と最小振幅値の差が大きくてダイナミックレンジを越えた場合には、最小振幅値を測定できなくなる。結果としてこの場合、伝送路６の減衰特性について、ダイナミックレンジを越えた周波数帯域の減衰量を求めることができない。
上記の対策として、従来は、測定すべき周波数を分割して、分割数の回数分、それぞれ測定を行うという方法がある。
例えば２分割の場合について説明する。
図１３は、２分割した一方の送信波形の周波数特性を示す図である。
図１４は、２分割した一方の受信波形の周波数特性を示す図である。
図１５は、２分割した一方の伝送路の減衰特性を示す図である。
図１６は、２分割した他方の送信波形の周波数特性を示す図である。
図１７は、２分割した他方の受信波形の周波数特性を示す図である。
図１８は、２分割した他方の伝送路の減衰特性を示す図である。
図１３〜１８において、送信信号波形を周波数帯域で２分割して、まず図１３に示すように、低周波数帯域側を任意波形発生器１から送信して伝送路６を通ってデジタルオシロスコープ４が受信する。図１４に示すように、デジタルオシロスコープ４が受信する際には、電圧レンジを最大振幅がとれるように調整する。これから、図１５に示すように、低周波数帯域側の減衰特性を求める。
次に、図１６に示すように、２分割した周波数帯域のうちの高周波数帯域側を同様に送信してデジタルオシロスコープ４で受信する。この場合も、図１７に示すように、デジタルオシロスコープ４が受信する際には電圧レンジを最大振幅がとれるように調整する。これから、図１８に示すように、高周波数帯域側の減衰特性を求める。
この方法によれば、図１８の高周波数帯域側の例のように、減衰量最大値をもつ周波数と最小値をもつ周波数とが分かれる場合があり、それぞれの分割周波数帯域毎にオシロスコープの電圧レンジを調整するために、ダイナミックレンジを有効に活用できる可能性が高まる。しかし、図１５の低周波数帯域側の例のように、減衰量最大値をもつ周波数と最小値をもつ周波数とが、周波数分割によっても分かれない場合があり、この場合は、ダイナミックレンジを越えているために、ダイナミックレンジを越えている減衰量の大きい周波数部分の減衰特性は求めることができない。
図１３〜１８では、周波数帯域の分割数を２分割する例を示したが、さらに分割数を増やしていけば、最大減衰量をもつ周波数と最小減衰量をもつ周波数とが、分離される確率は高くなる。ところが、分割数が多くなるに従い、測定回数が増えて測定時間が増大するという問題がある。また、分割した周波数帯域内に、最大減衰量をもつ周波数と最小減衰量をもつ周波数とが分離されないで残る可能性がある。
一方、まず予備測定として、測定該当周波数帯域の全域を測定して、その結果を人間がみてから、人間がマニュアルで分割すべき周波数帯域を見出して、その分割帯域毎に本格的に測定する、という方法が考えられるが、この方法は都度人間の目で判断する必要があり、フィールドでの多くの伝送路６を測定するには難がある。
【０００３】
【発明が解決しようとする課題】
従来の伝送路測定方法には、上記で述べたように、計測機器のダイナミックレンジを有効活用するために、測定該当周波数帯域を分割する方法として、等分割による方法があり、等分割による方法では、最大減衰量をもつ周波数と最小減衰量をもつ周波数とを分離できない場合がある。分離できない場合には、その最大減衰量と最小減衰量とが存在する分割後の周波数帯域のうちダイナミックレンジを越えている部分の減衰量が測定できない。また、分割数を多くすると、測定時間が増大してしまう。さらに、測定該当周波数帯域の全域を予備測定してその結果から人間がマニュアルで分割すべき周波数帯域を見出した後に分割して本格測定する方法では、都度人間の目による判断が必要であり、フィールドでの多くの伝送路６を測定するには難がある、という課題があった。
【０００４】
本発明は、ダイナミックレンジを有効活用して効率よく伝送路の特性を測定することを目的とする。
【０００５】
また、本発明は、測定時間を極力抑えて効率よく伝送路の特性を測定することを目的とする。
【０００６】
また、本発明は、都度人間の目によらずに効率よく伝送路の特性を測定することを目的とする。
【０００７】
【課題を解決するための手段】
本発明の伝送路特性測定方法は、
複数の第１のパラメータの値と上記複数の第１のパラメータの値に対応する複数の第２のパラメータの値とにより表される伝送路の特性を測定する伝送路特性測定方法であって、
上記複数の第１のパラメータの値を所定の第１の範囲にして上記複数の第１のパラメータの値に対応する複数の第２のパラメータの値を測定する第１の測定工程と、
上記第１の測定工程により測定された複数の第２のパラメータの値のうち、第２のパラメータの最大値を上限とする所定の第２の範囲の下限値を示す第２のパラメータの値が存在し、上記所定の第２の範囲内にある第２のパラメータの値に対応し、上記第２のパラメータの最大値に対応する第１のパラメータの値と上記下限値を示す第２のパラメータの値に対応する第１のパラメータの値との中間値が存在する場合に、上記中間値を用いて上記第１の範囲を分割する分割工程と、上記分割工程により分割された第１の範囲ごとに上記複数の第１のパラメータの値に対応する複数の第２のパラメータの値を測定する第２の測定工程と
を備えることを特徴とする。
【０００８】
また、上記分割工程は、上記中間値が、上記下限値を示す第２のパラメータの値に対応する第１のパラメータの値を挟んで複数存在する場合に、上記複数存在する上記中間値のうち、上記第２のパラメータの最大値に対応する第１のパラメータの値との間に上記下限値を示す第２のパラメータの値に対応する第１のパラメータの値を有さない中間値を用いて上記第１の範囲を分割することを特徴とする。
【０００９】
また、上記所定の第２の範囲は、上記第２の測定工程により測定された複数の第２のパラメータの値のうち、上記分割工程により分割された第１の範囲ごとに第２のパラメータの最大値を上限とし、
上記伝送路特性測定方法は、すべての上記分割された第１の範囲において、上記複数の第２のパラメータの値がすべて上記所定の第２の範囲内に納まるまで、上記第２の測定工程の後、第２の測定工程を第１の測定工程として上記分割工程と上記第２の測定工程とを繰り返すことを特徴とする。
【００１０】
また、上記伝送路特性測定方法は、さらに、上記第２の測定工程により上記分割工程により分割された第１の範囲ごとに測定された複数の第２のパラメータの値を合成する合成工程を備えることを特徴とする。
【００１１】
また、上記第１のパラメータは、伝送路の周波数であることを特徴とする。
【００１２】
また、上記第２のパラメータは、伝送路における送信信号の減衰量であることを特徴とする。
【００１３】
【発明の実施の形態】
実施の形態１．
以下、本実施の形態１について説明する。
測定システムの構成については、図９と同様である。
まず、伝送路６の減衰特性などの伝送路特性を測定する方法として、図９の測定システムを説明する。図９において、任意波形発生器１から信号を送信する。送信する信号には、測定対象周波数帯域（所定の第１の範囲の一例である。）における電圧の周波数特性がフラットである波形、例えば擬似ランダム波形が用いられる。送信された信号は結合器２を経由して測定対象の伝送路６を通り、結合器３を経由してデジタルオシロスコープ４が時間軸電圧波形として受信する。受信した時間軸電圧波形はデジタルオシロスコープ４のＡ／Ｄ変換器によってデジタルデータ化され、当データがパソコン５に取込まれる。パソコン５によって時間軸電圧波形である当デジタルデータが処理されて、伝送路の減衰特性や位相特性などが求められる。
本実施の形態１においては、まず、予備測定として測定対象周波数帯域の全帯域について減衰特性の測定を行う。測定対象周波数帯域の全体域の周波数成分を含んだ送信信号を任意波形発生器１から出力し、伝送路６を通ってデジタルオシロスコープ４が受信する。デジタルオシロスコープ４が受信する波形に対して、電圧振幅が飽和しないように、かつ可能な限り最大電圧振幅をとれるように、デジタルオシロスコープ４の電圧レンジを調整し、伝送路の減衰特性を測定する（第１の測定工程の一例である。）。
図１は、本実施の形態１における伝送路の減衰特性を示す図である。
図１において、最大減衰量（第２のパラメータの一例である。）の値をもつ周波数（第１のパラメータの一例である。）の値と最小減衰量（第２のパラメータの一例である。）の値をもつ周波数（第１のパラメータの一例である。）の値を拾い出す。なお、最大減衰量の値をもつ周波数の値または最小減衰量の値をもつ周波数の値が複数ある場合には、それらのうち最大減衰量の値をもつ周波数の値と最小減衰量の値をもつ周波数の値との差が最小となる組合せを選択する。
図１の場合、最大減衰量の値をもつ周波数の値としてｂに対応する値、最小減衰量の値をもつ周波数の値としてａに対応する値を選択する。このｂおよびａの減衰量に対応する値の差を算出する。次にその差とダイナミックレンジ（所定の第２の範囲の一例である。）−マージンとを比較する。その結果、その差がダイナミックレンジ−マージン以内に収まっていれば、後の処理はしない。その差がダイナミックレンジ−マージンを超えている場合には、次の処理に進む。図１においては、ｂおよびａの減衰量に対応する値の差がダイナミックレンジ−マージンを超えていると判定される。
次に、図１に示すように、最大減衰量ｂに対応する値をもつ周波数の値ｆ２と最小減衰量ａに対応する値をもつ周波数の値ｆ１の中間の周波数の値を算出する。算出結果は（ｆ１＋ｆ２）／２となる。これを第１の分割周波数（中間値の一例である。）となり、２分割される（分割工程の一例である。）。
次に、２分割されたそれぞれの周波数帯域内において、同様に、最大減衰量の値をもつ周波数の値と最小減衰量の値をもつ周波数の値を拾い出す。なお最大減衰量の値をもつ周波数の値または最小減衰量の値をもつ周波数の値が複数ある場合には、それらのうち最大減衰量の値をもつ周波数の値と最小減衰量の値をもつ周波数の値との差が最小となる組合せを選択する。最大減衰量の値と最小減衰量の値との差を出して、その差とダイナミックレンジ−マージンとを比較する。図１の場合、２分割された各周波数帯域における当該差がダイナミックレンジ−マージン以内に収まっているので、後の処理はしない。
次に、上記で算出した分割周波数に従って、２回の測定を行う。
図２は、分割周波数に従って２分割した一方の送信波形の周波数特性を示す図である。
図３は、分割周波数に従って２分割した一方の受信波形の周波数特性を示す図である。
図４は、分割周波数に従って２分割した一方の伝送路の減衰特性を示す図である。
図５は、分割周波数に従って２分割した他方の送信波形の周波数特性を示す図である。
図６は、分割周波数に従って２分割した他方の受信波形の周波数特性を示す図である。
図７は、分割周波数に従って２分割した他方の伝送路の減衰特性を示す図である。
図８は、図４における伝送路の減衰特性と図７における伝送路の減衰特性とを合成した伝送路の減衰特性を示す図である。
図２に示すように、まず、２分割した周波数帯域のうち低周波数帯域側の送信信号波形を任意波形発生器１から出力する。伝送路６を通ってデジタルオシロスコープ４が受信する。デジタルオシロスコープ４が受信する波形に対して、図３に示すように、電圧振幅が飽和しないように、かつ可能な限り最大電圧振幅をとれるように、デジタルオシロスコープ４の電圧レンジを調整する。図４に示すように、受信した信号電圧波形データをパソコン５でデータ処理して低周波数帯域側の減衰特性を求める。
次に、図５に示すように、まず、２分割した周波数帯域のうち高周波数帯域側の送信信号波形を任意波形発生器１から出力する。伝送路６を通ってデジタルオシロスコープ４が受信する。デジタルオシロスコープ４が受信する波形に対して、図６に示すように、電圧振幅が飽和しないように、かつ可能な限り最大電圧振幅をとれるように、デジタルオシロスコープ４の電圧レンジを調整する。図７に示すように、受信した信号電圧波形データをパソコン５でデータ処理して高周波数帯域側の減衰特性を求める。
最後に、図８に示すように、上記の低周波側の減衰特性と高周波側の減衰特性とを合体（合成）させて、対象周波数帯域における減衰特性が完成する（合成工程の一例である。）。
【００１４】
以上のように、本実施の形態１における所定のダイナミックレンジを有効に活用するための、周波数分割方法においては、以下のような最適な分割周波数を算出する手段を設けている。
まず、予備測定として測定対象周波数帯域の全帯域について減衰特性の測定を行い、その結果、最大減衰量と最小減衰量との差を出して、その差がダイナミックレンジ以内に収まっていれば、後の処理はしない。その差がダイナミックレンジ−マージンを超えている場合には、最大減衰量をもつ周波数と最小減衰量をもつ周波数の中間の周波数を算出して、それを第１の分割周波数とする。
次に、上記によって周波数帯域が分割された後は、それぞれの分割帯域において、最大減衰量と最小減衰量との差を出して、その差がダイナミックレンジ−マージン以内に収まっていれば、後の処理はしない。その差がダイナミックレンジ−マージンを超えている場合には、最大減衰量をもつ周波数と最小減衰量をもつ周波数の中間の周波数を算出して、それを第２の分割周波数（中間値の一例である。）とする。以降、分割帯域内において最大減衰量と最小減衰量との差を出して、その差がダイナミックレンジ−マージン以内に収まるまで、同様の処理を行う。
なお、最大減衰量をもつ周波数または最小減衰量をもつ周波数が複数ある場合には、それらのうち最大減衰量をもつ周波数と最小減衰量をもつ周波数との差が最小となる組合せを選択する。
【００１５】
以上のように、本実施の形態１における送信信号に電圧の周波数特性がフラットな波形を用い、デジタルオシロスコープで受信する伝送路特性測定システムを用いた伝送路特性測定方法は、
ダイナミックレンジを有効に活用するための周波数分割方法として、
予備測定による最大減衰量をもつ周波数と最小減衰量をもつ周波数の中間の周波数を分割周波数とし、分割周波数に従って、周波数分割した送信信号を順次送信し、順次受信して伝送路特性を求めることを特徴とする。
【００１６】
以上のように、本実施の形態１における伝送路特性測定方法は、
複数の伝送路の周波数の値と上記複数の伝送路の周波数の値に対応する複数の伝送路における送信信号の減衰量の値とにより表される伝送路の特性を測定する伝送路特性測定方法であって、
上記複数の伝送路の周波数の値を測定対象周波数帯域にして上記複数の伝送路の周波数の値に対応する複数の伝送路における送信信号の減衰量の値を測定する第１の測定工程と、
上記第１の測定工程により測定された複数の伝送路における送信信号の減衰量の値のうち、伝送路における送信信号の減衰量の最大値を上限とするダイナミックレンジの下限値を示す伝送路における送信信号の減衰量の値が存在し、上記所定の第２の範囲内にある伝送路における送信信号の減衰量の値に対応し、上記伝送路における送信信号の減衰量の最大値に対応する伝送路の周波数の値と上記下限値を示す伝送路における送信信号の減衰量の値に対応する伝送路の周波数の値との中間値が存在する場合に、上記中間値を用いて上記測定対象周波数帯域を分割する分割工程と、
上記分割工程により分割された測定対象周波数帯域ごとに上記複数の伝送路の周波数の値に対応する複数の伝送路における送信信号の減衰量の値を測定する第２の測定工程と
を備えている。
【００１７】
以上のように、本実施の形態１における伝送路特性測定方法における上記分割工程は、上記中間値が、上記下限値を示す伝送路における送信信号の減衰量の値に対応する伝送路の周波数の値を挟んで複数存在する場合に、上記複数存在する上記中間値のうち、上記伝送路における送信信号の減衰量の最大値に対応する伝送路の周波数の値との間に上記下限値を示す伝送路における送信信号の減衰量の値に対応する伝送路の周波数の値を有さない中間値を用いて上記測定対象周波数帯域を分割する。
【００１８】
以上のように、本実施の形態１における伝送路特性測定方法における上記ダイナミックレンジは、上記第２の測定工程により測定された複数の伝送路における送信信号の減衰量の値のうち、上記分割工程により分割された測定対象周波数帯域ごとに伝送路における送信信号の減衰量の最大値を上限とし、
上記伝送路特性測定方法は、すべての上記分割された測定対象周波数帯域において、上記複数の伝送路における送信信号の減衰量の値がすべて上記所定の第２の範囲内に納まるまで、上記第２の測定工程の後、第２の測定工程を第１の測定工程として上記分割工程と上記第２の測定工程とを繰り返す。
【００１９】
以上のように、本実施の形態１における上記伝送路特性測定方法は、さらに、上記第２の測定工程により上記分割工程により分割された測定対象周波数帯域ごとに測定された複数の伝送路における送信信号の減衰量の値を合成する合成工程を備えている。
【００２０】
【発明の効果】
本発明によれば、ダイナミックレンジを有効活用して効率よく伝送路の特性を測定する手段を得ることができる。
また、測定時間を極力抑えて効率よく伝送路の特性を測定する手段を得ることができる。
また、都度人間の目によらずに効率よく伝送路の特性を測定する手段を得ることができる。
【００２１】
本発明によれば、ダイナミックレンジを有効活用して効率よく伝送路の特性を測定することができる。
また、測定時間を極力抑えて効率よく伝送路の特性を測定することができる。
また、都度人間の目によらずに効率よく伝送路の特性を測定することができる。
【００２２】
本発明によれば、伝送路の周波数特性を評価することができる。
【００２３】
本発明によれば、伝送路の送信信号の減衰特性を評価することができる。
【図面の簡単な説明】
【図１】  本実施の形態１における伝送路の減衰特性を示す図である。
【図２】  分割周波数に従って２分割した一方の送信波形の周波数特性を示す図である。
【図３】  分割周波数に従って２分割した一方の受信波形の周波数特性を示す図である。
【図４】  分割周波数に従って２分割した一方の伝送路の減衰特性を示す図である。
【図５】  分割周波数に従って２分割した他方の送信波形の周波数特性を示す図である。
【図６】  分割周波数に従って２分割した他方の受信波形の周波数特性を示す図である。
【図７】  分割周波数に従って２分割した他方の伝送路の減衰特性を示す図である。
【図８】  図４における伝送路の減衰特性と図７における伝送路の減衰特性とを合成した伝送路の減衰特性を示す図である。
【図９】  従来の測定システムを示す図である。
【図１０】  送信波形の周波数特性を示す図である。
【図１１】  受信波形の周波数特性を示す図である。
【図１２】  伝送路の減衰特性を示す図である。
【図１３】  ２分割した一方の送信波形の周波数特性を示す図である。
【図１４】  ２分割した一方の受信波形の周波数特性を示す図である。
【図１５】  ２分割した一方の伝送路の減衰特性を示す図である。
【図１６】  ２分割した他方の送信波形の周波数特性を示す図である。
【図１７】  ２分割した他方の受信波形の周波数特性を示す図である。
【図１８】  ２分割した他方の伝送路の減衰特性を示す図である。
【符号の説明】
１  任意波形発生器、２  結合器、３  結合器、４  デジタルオシロスコープ、５  パソコン、６  伝送路。
【図１】
0003964224.tif 000002
【図２】
0003964224.tif 000003
【図３】
0003964224.tif 000004
【図４】
0003964224.tif 000005
【図５】
0003964224.tif 000006
【図６】
0003964224.tif 000007
【図７】
0003964224.tif 000008
【図８】
0003964224.tif 000009
【図９】
0003964224.tif 000010
【図１０】
0003964224.tif 000011
【図１１】
0003964224.tif 000012
【図１２】
0003964224.tif 000013
【図１３】
0003964224.tif 000014
【図１４】
0003964224.tif 000015
【図１５】
0003964224.tif 000016
【図１６】
0003964224.tif 000017
【図１７】
0003964224.tif 000018
【図１８】
0003964224.tif 000019